(57)【特許請求の範囲】
【請求項１】
遊技媒体を使用した遊技による入賞時に遊技媒体の払い出しを行うと共に、その遊技に伴い予め設定された状態が発生したときに入賞確率を大幅に高めた大当たり状態を所定期間だけ継続させる構成の遊技機が設置された遊技場に設けられるものであって、前記各遊技機での遊技媒体の収支データなどを管理するための遊技場用管理装置において、
閉店時刻に達するのに応じて前記遊技場内の全部の遊技機を打止状態に切換える遊技禁止手段と、
この遊技禁止手段により打止状態に切換えられた時点で前記大当たり状態を呈している遊技機が存在した場合に、当該遊技機の遊技客に対して、所定数の遊技媒体数を記録した記録担体を発行する出力手段と、
を備え、
前記出力手段は、前記遊技禁止手段により打止状態に切換えられた後に前記大当たり状態となった遊技機が発生した場合には、当該遊技機の遊技客に対して、その遊技機が大当たり状態にある期間での標準的な放出遊技媒体数若しくはこれに近似した遊技媒体数を示す規定数データを記録した記録担体を発行するように構成されていることを特徴とする遊技場用管理装置。
【請求項２】
前記閉店時刻に達した時点から所定の遅延時間だけタイマ動作を行うタイマ手段を設け、
このタイマ手段によるタイマ動作が終了した後には、前記出力手段による前記記録担体の発行動作を禁止するように構成されていることを特徴とする請求項１記載の遊技場用管理装置。
【請求項３】
遊技媒体を使用した遊技による入賞時に遊技媒体の払い出しを行うと共に、その遊技に伴い予め設定された状態が発生したときに入賞確率を大幅に高めた大当たり状態を所定期間だけ継続させる構成の遊技機が設置された遊技場に設けられるものであって、前記各遊技機での遊技媒体の収支データなどを管理するための遊技場用管理装置において、
閉店時刻の所定時間前から当該閉店時刻に達するまでの閉店処理待機期間中に前記大当たり状態となった遊技機が発生した場合には、その発生時点で当該遊技機を打止状態に切換える遊技禁止手段と、
この遊技禁止手段により打止状態に切換えられた遊技機の遊技客に対して、その遊技機が大当たり状態にある期間での標準的な放出遊技媒体数若しくはこれに近似した遊技媒体数を示す規定数データを記録した記録担体を発行する出力手段とを備えたことを特徴とする遊技場用管理装置。
【請求項４】
前記遊技禁止手段は、前記閉店時刻に達した時点で、前記大当たり状態にない遊技機を打止状態に切換えると共に、閉店時刻に達した時点で大当たり状態での遊技が継続されている遊技機があった場合には、当該遊技機をその大当たり状態の終了時に打止状態に切換えるように構成されていることを特徴とする請求項１記載の遊技場用管理装置。
【請求項５】
前記出力手段は、前記閉店時刻が経過した後に前記大当たり状態となった遊技機が発生した場合には、当該遊技機の遊技客に対して、その遊技機が大当たり状態にある期間での標準的な放出遊技媒体数若しくはこれに近似した遊技媒体数を示す規定数データを記録した記録担体を発行するように構成されていることを特徴とする請求項３または４記載の遊技場用管理装置。
【発明の詳細な説明】
【０００１】
【産業上の利用分野】
本発明は、パチンコホールなどの遊技場で利用される遊技場用管理装置、特には、遊技に伴い予め設定された状態が発生したときに入賞確率を大幅に高めた状態を所定期間だけ継続させる構成の遊技機が設置された遊技場用として好適する管理装置に関する。
【０００２】
【従来の技術】
例えばパチンコホールにおいては、その閉店直後から、店内の清掃、景品の棚卸し、景品の補充などの種々の作業を行い、翌日の営業に備えるようにしているが、このような閉店時の準備作業は、パチンコホールの営業時間の関係から夜遅く行われるのが通常であるため、必要に応じて臨時作業員を雇うなどして極力短時間で完了するように努めている。
【０００３】
ところで、パチンコホールに設置されるパチンコ遊技機の主力機種は、遊技に伴い予め設定された状態が発生したときに入賞確率を大幅に高めた大当たり状態（所謂特賞状態）を所定期間だけ継続させる構成のものであるため、現実には、前述のような準備作業のうち、特に手間がかかるパチンコ遊技機周りの清掃作業を円滑且つ迅速に遂行することが極めて困難になるという事情があった。
【０００４】
具体的には、パチンコホールの閉店間際に大当たり状態が発生することが多々あり、このように大当たり状態となったパチンコ遊技機については、閉店時刻が過ぎた後においても、大当たり状態が終了するまで遊技が継続されることになる。従って、その遊技が終了するまでの間は、当該パチンコ遊技機周りは勿論、その遊技機を含む島の清掃を行うことができず、これが閉店後の清掃作業を遅らせる大きな原因となっている。
【０００５】
従来では、このような問題点に対処するために、閉店時点で大当たり状態を呈しているパチンコ遊技機については、パチンコホール従業員が、前面扉を開放した状態で盤面上の入賞孔にパチンコ玉を順次投入することにより、１回の大当たり発生に伴い払い出されるものと想定される標準的なチンコ玉数にほぼ相当した数のパチンコ玉を強制的に放出させる作業を行ったり、或いは、パチンコ遊技機の裏側に設置されている玉補給装置から上記標準的なパチンコ玉数にほぼ相当した数のパチンコ玉を強制的に放出させて遊技客に手渡す作業を行うことにより、当該パチンコ遊技機での遊技客が可及的速やかに退去できるように働きかけている。
【０００６】
【発明が解決しようとする課題】
しかしながら、上記のような手段を採用した場合でも、パチンコ玉の強制的な放出のために比較的長い時間を要することになるから、遊技客の退去が遅れ勝ちになって、パチンコホール閉店後の清掃作業にある程度の遅れが生ずることが避けられない。特に、近年のパチンコ遊技機にあっては、１回の大当たりで放出されるパチンコ玉数が極めて多くなってきているため、上記のような遅れが拡大することになり、従来の問題点を十分に解決できる手段とはいい難い。しかも、上述のようなパチンコ玉放出作業は、パチンコホール従業員が行うことになるため、その間は当該従業員が閉店時に行う前記準備作業に参加できず、この面からも作業の遅れを来たしてしまう。
【０００７】
勿論、このような問題点を解決するために、パチンコホールの閉店時刻になった時点でパチンコ遊技機での遊技を全面的に禁止し、大当たりの発生に伴う遊技客側の権利を閉店時刻で消滅させるような対策も可能であるが、このような対策では、遊技客側の不満が拡大することになって、パチンコホールの経営上において逆に損失となる虞が出てくるため、実際には実現困難である。
【０００８】
本発明は上記事情に鑑みてなされたものであり、その目的は、遊技に伴い予め設定された状態が発生したときに入賞確率を大幅に高めた大当たり状態を所定期間だけ継続させる構成の遊技機が設置されている遊技場において、その閉店時刻になった時点で、大当たり状態にある遊技機を含む全ての遊技機での遊技を直ちに禁止した場合でも遊技客側の不満が増大する虞がなくなり、これにより、店内清掃作業などを含む閉店時作業を速やかに開始することが可能となって、その作業を早期に終了させ得るようになるなどの効果を奏する遊技場用管理装置を提供することにある。
【０００９】
【課題を解決するための手段】
本発明は上記目的を達成するために、遊技媒体を使用した遊技による入賞時に遊技媒体の払い出しを行うと共に、その遊技に伴い予め設定された状態が発生したときに入賞確率を大幅に高めた大当たり状態を所定期間だけ継続させる構成の遊技機が設置された遊技場に設けられるものであって、前記各遊技機での遊技媒体の収支データなどを管理するための遊技場用管理装置において、閉店時刻に達するのに応じて前記遊技場内の全部の遊技機を打止状態に切換える遊技禁止手段と、この遊技禁止手段により打止状態に切換えられた時点で前記大当たり状態を呈している遊技機が存在した場合に、当該遊技機の遊技客に対して、所定数の遊技媒体数を記録した記録担体を発行する出力手段とを備えた上で、前記出力手段を、前記遊技禁止手段により打止状態に切換えられた後に前記大当たり状態となった遊技機が発生した場合には、当該遊技機の遊技客に対して、その遊技機が大当たり状態にある期間での標準的な放出遊技媒体数若しくはこれに近似した遊技媒体数を示す規定数データを記録した記録担体を発行するように構成としたものである（請求項１）。
【００１３】
この場合、前記閉店時刻に達した時点から所定の遅延時間だけタイマ動作を行うタイマ手段を設け、このタイマ手段によるタイマ動作が終了した後には、前記出力手段による前記記録担体の発行動作を禁止するように構成しても良い（請求項２）。
【００１４】
本発明による目的を達成するために、遊技媒体を使用した遊技による入賞時に遊技媒体の払い出しを行うと共に、その遊技に伴い予め設定された状態が発生したときに入賞確率を大幅に高めた大当たり状態を所定期間だけ継続させる構成の遊技機が設置された遊技場に設けられるものであって、前記各遊技機での遊技媒体の収支データなどを管理するための遊技場用管理装置において、閉店時刻の所定時間前から当該閉店時刻に達するまでの閉店処理待機期間中に前記大当たり状態となった遊技機が発生した場合には、その発生時点で当該遊技機を打止状態に切換える遊技禁止手段と、この遊技禁止手段により打止状態とされた遊技機の遊技客に対して、その遊技機が大当たり状態にある期間での標準的な放出遊技媒体数若しくはこれに近似した遊技媒体数を示す規定数データを記録した記録担体を発行する出力手段とを備えた構成とすることもできる（請求項３）。
【００１５】
この場合、前記遊技禁止手段は、前記閉店時刻に達した時点で、前記大当たり状態にない遊技機を打止状態に切換えると共に、閉店時刻に達した時点で大当たり状態での遊技が継続されている遊技機があった場合には、当該遊技機をその大当たり状態の終了時に打止状態に切換える構成とすることができる（請求項４）。
【００１６】
また、前記出力手段を、前記閉店時刻が経過した後に前記大当たり状態となった遊技機が発生した場合には、当該遊技機の遊技客に対して、その遊技機が大当たり状態にある期間での標準的な放出遊技媒体数若しくはこれに近似した遊技媒体数を示す規定数データを記録した記録担体を発行する構成としても良い（請求項５）。
【００１９】
【作用及び発明の効果】
請求項１記載の遊技場用管理装置では、閉店時刻に達したときに、遊技禁止手段が遊技場内の全部の遊技機を打止状態に切換えるようになる。このように打止状態に切換えられた時点で、入賞率を大幅に高めた状態を所定期間だけ継続するという大当たり状態を呈している遊技機が存在した場合には、当該遊技機の遊技客に対して、出力手段から所定数の遊技媒体数を記録した記録担体が発行されるようになる。この場合、遊技場において、上記記録担体に基づいて、当該遊技券に記録された遊技媒体数に相当した景品を払い出すようにすれば、上記のように閉店時刻において遊技場内の全部の遊技機を打止状態に切換えて遊技を全面的に禁止したとしても、大当たり状態となった遊技機での遊技客に対しては、打止状態の発生に伴う遊技終了に伴い相当の対価が支払われることになる。
【００２０】
従って、閉店時刻になった時点で、大当たり状態にある遊技機を含む全ての遊技機での遊技を直ちに禁止した場合でも遊技客側の不満が増大する虞がなくなり、しかも、上記のような記録担体発行のために必要となる作業自体は大幅な単純化が可能であるから、店内清掃作業などを含む閉店時作業を速やかに開始することが可能となって、その作業を早期に終了させ得るようになる。また、この場合には、閉店時刻において大当たり状態にある遊技機の遊技を禁止したときに従来必要であった遊技場従業員による作業、つまり所定数の遊技媒体を強制的に放出するという比較的時間がかかる作業が不要となるから、その従業員の負担軽減を図り得ると共に、当該従業員が前記閉店時作業に早期に参加できるようになって、この面からもその作業の早期終了を図り得るようになる。
【００２４】
さらに、請求項１記載の遊技場用管理装置では、閉店時刻において、遊技禁止手段により打止状態に切換えられた後に大当たり状態となった遊技機が発生した場合には、当該遊技機の遊技客に対して、出力手段から、その遊技機が大当たり状態にある期間での標準的な放出遊技媒体数若しくはこれに近似した遊技媒体数を示す規定数データを記録した記録担体が発行されるようになる。この結果、上記遊技客に対しては、大当たり状態の遊技機での遊技を行った場合に得られると想定される遊技媒体数を記録した記録担体が発行されることになるから、このような場合にも、閉店時刻になった時点で、遊技機での遊技を直ちに禁止したとしても遊技客側の不満が増大する虞がなくなり、店内清掃作業などを含む閉店時作業を速やかに開始することが可能となって、その作業を早期に終了させ得るようになる。
【００２５】
請求項２記載の遊技場用管理装置では、タイマ手段が、前記閉店時刻に達した時点から所定の遅延時間だけタイマ動作を行うと共に、そのタイマ動作が終了した後には、打止状態に切換えられた後に大当たり状態となった遊技機の遊技客に対する前述のような記録担体の発行が禁止される。この場合、上記タイマ動作時間を、遊技機が打止状態に切換えられた後に大当たり状態が発生するまでの時間より若干時間だけ長く設定しておけば、打止状態とされた遊技機が不正な行為により大当たり状態に切換えられる事態を未然に防止できるようになる。
【００２６】
請求項３記載の遊技場用管理装置では、閉店時刻の所定時間前から当該閉店時刻に達するまでの閉店処理待機期間中に前記大当たり状態となった遊技機が発生した場合には、遊技禁止手段が、その大当たり状態の発生時点で当該遊技機を打止状態に切換えるようになる。このように遊技機が打止状態に切換えられたときには、当該遊技機の遊技客に対して、その遊技機が大当たり状態にある期間での標準的な放出遊技媒体数若しくはこれに近似した遊技媒体数を示す規定数データを記録した記録担体が出力手段を通じて発行されるようになる。
【００２７】
従って、上記のような閉店処理待機期間中に大当たり状態となった遊技機については、閉店時刻前に遊技が禁止されると共に、当該遊技機の遊技客に対し相当の対価（遊技機が大当たり状態にある期間で放出されると想定される標準的な数の遊技媒体若しくはこれに近似した数の遊技媒体）が支払われることになるから、閉店時刻間際において、大当たり状態となった遊技機での遊技を直ちに禁止した場合でも遊技客側の不満が増大する虞がなくなる。
【００２８】
また、前記閉店処理待機期間より前の時点で大当たり状態となった遊技機での遊技は、その閉店処理待機期間中、若しくは閉店時刻後の比較的早い時期に大当たり状態が終了することになるから、閉店時刻において大当たり状態が継続されている遊技機が存在した場合でも、その大当たり状態が比較的早い時期に終了することになり、結果的に、店内清掃作業などを含む閉店時作業を速やかに開始することが可能となって、その作業を早期に終了させ得るようになる。この場合にも、閉店時刻において大当たり状態にある遊技機の遊技を禁止したときに従来必要であった遊技場従業員による作業、つまり所定数の遊技媒体を強制的に放出するという比較的時間がかかる作業が不要となるから、その従業員の負担軽減を図り得ると共に、当該従業員が前記閉店時作業に早期に参加できるようになって、この面からも上記作業の早期終了を図り得るようになる。
【００２９】
請求項４記載の遊技場用管理装置では、遊技禁止手段が、閉店時刻に達した時点で、大当たり状態にない遊技機を打止状態に切換えると共に、閉店時刻に達した時点で大当たり状態での遊技が継続されている遊技機があった場合には、当該遊技機をその大当たり状態の終了時に打止状態に切換えるようになる。この結果、店内清掃作業などを含む閉店時作業の速やかな開始が可能になる。
【００３０】
請求項５記載の遊技場用管理装置では、閉店時刻が経過した後に大当たり状態となった遊技機が発生した場合には、当該遊技機の遊技客に対して、出力手段から、その遊技機が大当たり状態にある期間での標準的な放出遊技媒体数若しくはこれに近似した遊技媒体数を示す規定数データを記録した記録担体が発行されるようになる。この結果、上記遊技客に対しては、大当たり状態の遊技機での遊技を行った場合に得られると想定される遊技媒体数を記録した記録担体が発行されることになるから、このような場合にも、閉店時刻になった時点で、遊技機での遊技を直ちに禁止したとしても遊技客側の不満が増大する虞がなくなり、店内清掃作業などを含む閉店時作業を速やかに開始することが可能となって、その作業を早期に終了させ得るようになる。
【００３３】
【実施例】
以下、本発明をパチンコホール用の管理装置に適用した第１実施例について図１〜図１２を参照しながら説明する。
全体の概略構成を示す図１において、多数台のパチンコ遊技機１は、パチンコホール内に図示しない多数台の台間玉貸機と共に並設されている。また、呼出ランプユニット２は、各パチンコ遊技機１の上方にこれと１対１で対応するように配置されている。この呼出ランプユニット２は、パチンコ遊技機１及び図示しない台間玉貸機と、集中管理装置３との間での信号の授受を中継する機能を備えたもので、その具体的構成については後述する。
【００３４】
尚、上記パチンコ遊技機１は、遊技媒体（パチンコ玉）を使用した遊技に伴い予め設定された状態が発生したときに入賞確率を大幅に高めた大当たり状態（これを以下においては特賞状態と呼ぶ）を所定期間だけ継続させる構成となっており、その特賞状態での遊技が継続された場合においては、当該特賞期間中に放出されるパチンコ玉の量が、当該パチンコ遊技機１の機種毎に概ね一定になる構成となっている。
【００３５】
前記集中管理装置３は、パチンコ遊技機１におけるアウト玉数、セーフ玉数及び差玉数（収支データ）の集計、その集計結果に基づいたパチンコ遊技機１の打止制御、不正検知、並びに図示しない台間玉貸機の売上集計などを行う機能を備えた周知構成のものである。この場合、集中管理装置３は、ＣＰＵを含んで構成された主制御部４（本発明でいう遊技禁止手段、演算手段、タイマ手段に相当）の他に、当該主制御部４と前記呼出ランプユニット２及び景品交換カウンタに設置された周知構成のＰＯＳ端末５との間でのデータ授受を行うための入出力インタフェイス部６、ＲＡＭなどを利用した記憶部７、ＣＲＴディスプレイなどを利用した表示部８、プリンタ９、例えば景品交換カウンタに設置された操作ユニット１０、この操作ユニット１０のための通信装置１１を備えた構成となっており、上記主制御部４による制御内容については後述する。
【００３６】
尚、上記表示部８は、図示しないＣＲＴディスプレイ或いは液晶ディスプレイと、例えば図２に示すような表示パネル８ａとを含んで構成されている。この場合、図２において、上記表示パネル８ａは、パチンコホール内の全てのパチンコ遊技機１の台番号が施された多数個の表示部８ｂを、各パチンコ遊技機１の配置状態に対応付けて配列して成るもので、各表示部８ｂの裏側に、例えば３色表示が可能な２色発光ダイオード（図示せず）を配置した構成となっている。そして、斯かる表示パネル８ａにあっては、各表示部８ｂを、上記発光ダイオードにより異なる色で選択的に照明することにより、打止状態となったパチンコ遊技機１の台番号、特賞状態になったパチンコ遊技機１の台番号、並びに後述する記録担体としての引換券（図８に符号ＫＴを付して示す）の発行対象となったパチンコ遊技機１の台番号をそれぞれ表示できるようになっている。
【００３７】
上記操作ユニット１０は、本発明でいう出力手段の機能を果たすもので、キーボードなどを備えた操作部１０ａと、レシート状の引換券ＫＴ（図８参照）をプリントアウトするためのプリンタ１０ｂとを備えた構成となっている。尚、操作ユニット１０には、図示しないが、プリンタ１０ｂの動作を制御するための発券処理回路が設けられており、この発券処理回路による制御内容については後述する。
【００３８】
図９には前記呼出ランプユニット２及びこれに関連した部分の外観が示されている。
この図９において、呼出ランプユニット２は、矩形状の本体ケース１２を備えており、その本体ケース１２の前面には、後述の光信号を受けるための光信号受信部１３、自動復帰形の押しボタンスイッチより成る呼出ボタン１４、対応するパチンコ遊技機１についての前記引換券ＫＴが前記操作ユニット１０を通じて発行された旨を遊技客に知らせるための発券ランプ１５（本発明でいう報知手段に相当）が設けられている。また、本体ケース１２の上部には、対応するパチンコ遊技機１が特賞状態にあることを示す特賞ランプ１６、同パチンコ遊技機１が打止中であることを示す打止ランプ１７、前記呼出ボタン１４の操作に応じて点滅される呼出ランプ１８が段積み状に設けられている。
【００３９】
図１０には呼出ランプユニット２及びこれに関連した部分の電気的構成が概略的に示されている。
この図１０において、パチンコ遊技機１からは、遊技媒体であるパチンコ玉の打込数に応じた数のアウト玉計数パルスＰ１、賞球として放出されたパチンコ玉数に応じた数のセーフ玉計数パルスＰ２が出力されると共に、当該パチンコ遊技機１が特賞状態になったときには、例えばその特賞期間中を通じて特賞信号Ｓｆが出力される構成となっており、それらの計数パルスＰ１、Ｐ２及び特賞信号Ｓｆは呼出ランプユニット２に与えられるようになっている。
【００４０】
呼出ランプユニット２は、コンピュータにより構成された制御部２ａを備えており、この制御部２ａによって、前記発券ランプ１５、特賞ランプ１６、打止ランプ１７及び呼出ランプ１８をそれぞれドライバ１５ａ〜１８ａを通じて制御するようになっている。また、制御部２ａからは、前記集中管理装置３からの指令に基づいてパチンコ遊技機１の遊技を禁止するための打止信号Ｓｚを出力する構成となっており、その打止信号Ｓｚは、ドライバ１９を通じてパチンコ遊技機１に与えられる。尚、パチンコ遊技機１は、打止信号Ｓｚが与えられたときにパチンコ玉発射機の電源を遮断するなどして遊技不可能な打止状態に切換えられる構成となっている。
【００４１】
上記制御部２ａには、前記呼出ボタン１４の操作信号が入力されると共に、計数用レジスタ２０及び２１の各計数データを示す計数信号が入力されるようになっている。上記各レジスタ２０及び２１は、パチンコ遊技機１からのアウト玉計数パルスＰ１及びセーフ玉計数パルスＰ２を計数するためのものであり、制御部２ａは、各レジスタ２０及び２１から各計数データを入力する毎に対応するレジスタ２０及び２１の計数データを初期化する構成となっている。
【００４２】
前記光信号受信部１３は、パチンコホール従業員が携帯するハンディ端末２２から光信号（赤外光）を媒体として送信される発券確認信号Ｓｃを受信したときに、その受信信号Ｓｃを、所定の増幅・検波及び波形整形処理を施した後に制御部２ａに与える構成となっている。尚、上記ハンディ端末２２による発券確認信号Ｓｃの送信操作は、後述のように発行される引換券ＫＴがパチンコホール従業員を通じて遊技客に手渡された場合に行われるものである。また、送受信回路２３は、制御部２ａと集中管理装置３との間でデータの授受を行うために設けられている。
【００４３】
図１１には呼出ランプユニット２の制御部２ａによる制御内容が示されており、以下これについて説明する。
即ち、図１１において、制御部２ａは、呼出ボタン１４が操作されたか否かを判断するステップＥ１、対応するパチンコ遊技機１において特賞状態が開始されたか否かを判断するステップＥ２、その特賞状態が終了したか否かを判断するステップＥ３、対応するパチンコ遊技機１の打止が開始されたか否かを、集中管理装置３から後述のように出力される打止指令信号に基づいて判断するステップＥ４、その打止が終了したか否かを、集中管理装置３から例えば手動操作により出力される開放指令信号に基づいて判断するステップＥ５、集中管理装置３から後述のように出力される発券メッセージ信号Ｓｍを受信したか否かを判断するステップＥ６、ハンディ端末２２からの発券確認信号Ｓｃを受信した否かを判断するステップＥ７、所定周期（例えば１秒周期）で発生するように設定されたデータ送信タイミングになったか否かを判断するステップＥ８をサイクリックに実行する待機ループを形成する。
【００４４】
呼出ボタン１４が操作された場合（ステップＥ１で「ＹＥＳ」）には、呼出ランプ１８が点灯中か否かを判断する（ステップＥ９）。この場合、呼出ランプ１８が点灯されていた場合には、当該ランプ１８を消灯させ（ステップＥ１０）、消灯されていた場合には呼出ランプ１８を点灯させるものであり（ステップＥ１１）、このような消灯或いは点灯制御を行った後には前記待機ループ（ステップＥ１〜Ｅ８）へ戻る。
【００４５】
対応するパチンコ遊技機１において特賞状態が開始された場合（ステップＥ２で「ＹＥＳ」）には、特賞ランプ１６の点滅動作を開始させるステップＥ１２、特賞開始信号Ｆｓを送受信回路２３を通じて集中管理装置３へ送信するステップＥ１３を順次実行した後に前記待機ループへ戻る。
【００４６】
上記のような特賞状態が終了した場合（ステップＥ３で「ＹＥＳ」）には、特賞ランプ１６を消灯させるステップＥ１４、特賞終了信号Ｆｅを送受信回路２３を通じて集中管理装置３へ送信するステップＥ１５を順次実行した後に前記待機ループへ戻る。
【００４７】
対応するパチンコ遊技機１において打止が発生した場合（ステップＥ４で「ＹＥＳ」）には、打止ランプ１７を点灯させるステップＥ１６、パチンコ遊技機１にドライバ１９を通じて打止信号Ｓｚを与えることにより当該パチンコ遊技機１を打止状態に切換えるという打止制御開始ステップＥ１７を順次実行した後に前記待機ループへ戻る。
【００４８】
上記のような打止状態が終了した場合（ステップＥ５で「ＹＥＳ」）には、打止ランプ１７を消灯させるステップＥ１８、ドライバ１９を通じた打止信号Ｓｚの出力を停止することにより当該パチンコ遊技機１を遊技可能状態に切換えるという打止制御終了ステップＥ１９を順次実行した後に前記待機ループへ戻る。
【００４９】
集中管理装置３からの発券メッセージ信号Ｓｍを受信した場合（ステップＥ６で「ＹＥＳ」）には、発券ランプ１５を点灯させるステップＥ２０を実行した後に待機ループへ戻る。
【００５０】
ハンディ端末２２からの発券確認信号Ｓｃを受信した場合（ステップＥ７で「ＹＥＳ」）には、発券ランプ１５を消灯させるステップＥ２１、前記引換券ＫＴがパチンコホール従業員から遊技客に手渡されたことを示す引渡完了信号Ｅｓを送受信回路２３を通じて集中管理装置３へ送信するステップＥ２２を順次実行した後に待機ループへ戻る。
【００５１】
データ送信タイミングになったとき（ステップＥ８で「ＹＥＳ」）には、計数用レジスタ２０及び２１の各計数データ（パチンコ遊技機１のアウト玉数及びセーフ玉数を示す）を読み込むステップＥ２３、その読み込みデータを送受信回路２３を通じて集中管理装置３へ送信するステップＥ２４を順次実行した後に前記待機ループへ戻る。尚、前にも述べたように、制御部２ａは、各レジスタ２０及び２１から各計数データを入力する毎に対応するレジスタ２０及び２１の計数データを初期化するようになっている。
【００５２】
要するに、制御部２ａにおいて以上のような制御が行われる結果、呼出ランプユニット２には、呼出ボタン１４の操作に応じた呼出ランプ１８の選択的な点滅制御の他に、以下に述べるような機能が付与されることになる。
【００５３】
（１）対応するパチンコ遊技機１で特賞状態が発生している期間中は特賞ランプ１６を点滅状態に保持する。また、集中管理装置３に対して、上記特賞発生時点で特賞開始信号Ｆｓを送信すると共に、特賞終了時点で特賞終了信号Ｆｅを送信する。
【００５４】
（２）対応するパチンコ遊技機１が打止状態になったときには、その打止期間中を通じて、打止ランプ１７を点灯状態に保持すると共に、当該パチンコ遊技機１を打止状態に保持する。
【００５５】
（３）集中管理装置３からの発券メッセージ信号Ｓｍを受信したときに発券ランプ１５を点灯させ、その点灯状態を、ハンディ端末２２からの発券確認信号Ｓｃを受信するまで保持する。また、上記発券確認信号Ｓｃを受信したときには、引渡完了信号Ｅｓを集中管理装置３へ送信する。
【００５６】
（４）所定周期に設定されたデータ送信タイミングになる毎に、対応するパチンコ遊技機１のアウト玉数及びセーフ玉数を示すデータを集中管理装置３へ送信する。
【００５７】
一方、図３〜図５には、前記集中管理装置３が有する主制御部４による制御内容の概略が示されており、以下これについて説明する。但し、この図３〜図５は、１台のパチンコ遊技機１に対する制御内容の要部を示したものである。
【００５８】
図３は、パチンコホールの営業期間中に行う制御内容の一部が示されている。この図３において、収支演算ルーチンＡ１では、パチンコ遊技機１の収支を、呼出ランプユニット２から送信されてくるアウト玉数及びセーフ玉数を示すデータに基づいて演算する。具体的には、上記送信データにより示されるセーフ玉数からアウト玉数を差し引くという演算を行うことにより、収支データである差玉数データΔＮをリアルタイムで得るようにしている。尚、実際には、集中管理装置３にあっては、差玉数データをアウト玉数からセーフ玉数を差し引く演算により得ているが、この実施例では説明の便宜上、セーフ玉数からアウト玉数を差し引いた値を差玉数データΔＮとしている。
【００５９】
上記収支演算ルーチンＡ１の実行後には、差玉数データΔＮが予め設定された打止設定値以上になったか否かを判断し（ステップＡ２）、ΔＮ≧打止設定値となった場合には、例えば記憶部７に設定された該当パチンコ遊技機１用のメモリエリアに打止中フラグをセットするステップＡ４、上記パチンコ遊技機１に対応した呼出ランプユニット２に対して前述した打止指令信号を送信するステップＡ５を順次実行した後に、図示しない他の処理を実行してリターンする。
【００６０】
前記ステップＡ２で「ＮＯ」と判断したときには、手動操作によるパチンコ遊技機１の打止入力があったか否かを判断し（ステップＡ３）、手動打止入力があった場合には前記ステップＡ４以降の制御を実行し、手動打止入力がなかった場合には、手動動作によるパチンコ遊技機１の台開放入力があったか否かを判断する（ステップＡ６）。
【００６１】
手動開放入力があった場合には、該当パチンコ遊技機１用のメモリエリア中の前記打止中フラグをリセットするステップＡ７、上記パチンコ遊技機１に対応した呼出ランプユニット２に対して前述した開放指令信号を送信するステップＡ８を順次実行した後に、図示しない他の処理を実行してリターンする。
また、ステップＡ６で「ＮＯ」と判断した場合には、データ入力処理ルーチンＡ９を実行した後に図示しない他の処理を実行してリターンする。
【００６２】
図４には、上記データ処理入力ルーチンＡ９の内容が示されており、以下これについて説明する。
図４において、データ処理入力ルーチンＡ９では、呼出ランプユニット２からの特賞開始信号Ｆｓ及び特賞終了信号Ｆｅの受信の有無を判断するステップＢ１及びＢ２、並びに前記特賞状態にある期間中に差玉数データΔＮが新たに発生したか否かを判断するステップＢ３を実行するようになっており、各ステップＢ１〜Ｂ３で「ＮＯ」と判断した場合には、そのままリターンする。
【００６３】
特賞開始信号Ｆｓを受信したとき（ステップＢ１で「ＹＥＳ」）には、該当パチンコ遊技機１用のメモリエリア中に特賞中フラグをセットするステップＢ４、上記パチンコ遊技機１が特賞中にあることを表示部８を通じて表示するためのステップＢ５を順次実行した後にステップＢ２へ移行する。
【００６４】
特賞終了信号Ｆｅを受信したとき（ステップＢ２で「ＹＥＳ」）には、該当パチンコ遊技機１用のメモリエリア中の前記特賞中フラグをリセットするステップＢ６、表示部８での前記パチンコ遊技機１が特賞中にある旨の表示を解除すると共に、後述する収支データを零に戻すための初期化出力ステップＢ７を順次実行した後にステップＢ２へ移行する。
【００６５】
パチンコ遊技機１が特賞状態にある期間中に新たな差玉数データΔＮが発生したとき（ステップＢ３で「ＹＥＳ」）には、当該差玉数データΔＮを上記パチンコ遊技機１用のメモリエリア中に収支データとして累積記憶するステップＢ８を実行した後にリターンする。
【００６６】
以上のような営業期間中処理が行われる結果、集中管理装置３は、パチンコホールの営業期間中において、パチンコ遊技機１が特賞状態にあるか否かを示す特賞中フラグを各遊技機１毎にリアルタイムでセット若しくはリセットするものであり、従って、パチンコホールの営業終了時刻において、その特賞中フラグの有無に基づいて特賞状態を呈しているパチンコ遊技機１を特定できるようになる。この場合、集中管理装置３は、パチンコ遊技機１が特賞状態にある各期間毎に、遊技に伴う差玉数データΔＮを収支データとして記憶するものであり、従って、特賞状態にある期間中にパチンコ遊技機１が打止状態に切換えられた場合において、特賞発生から打止状態発生時点までの間に放出されたパチンコ玉数を上記差玉数データΔＮに基づいて知ることができる。また、集中管理装置３は、遊技に伴い差玉数データが打止設定値以上となったパチンコ遊技機１、或いは手動操作による打止入力があったパチンコ遊技機１については、打止中フラグをセットし、台開放入力があったパチンコ遊技機１については、上記打止中フラグをリセットする。
【００６７】
図５には、パチンコホールの閉店時刻以降に行う制御内容の一部が示されている。この図５において、閉店時刻に達したときに実行されるデータ入力ステップＣ１では、第１番目のパチンコ遊技機１用のメモリエリア中から前記特賞中フラグの有無を示すデータ並びに打止中フラグの有無を示すデータを入力する。次いで、その入力データに基づいて対応するパチンコ遊技機１が打止状態にあるか否かを判断し（ステップＣ２）、打止状態になかった場合には、上記メモリエリアに打止中フラグをセットするステップＣ３、上記パチンコ遊技機１に対応した呼出ランプユニット２に対して打止指令信号を送信するステップＣ４を順次実行する。この場合、上記打止指令信号を受信した呼出ランプユニット２は、対応するパチンコ遊技機１を打止状態に切換えるようになる。
【００６８】
上記のようなステップＣ１〜Ｃ４は、第２番目以降のパチンコ遊技機１についても同様に行われるものであり、従って、閉店時刻に達したときにはパチンコホール内の全部のパチンコ遊技機１が打止状態に切換えられることになる。
【００６９】
ステップＣ４の実行後には、ステップＣ１での読み込みデータに基づいて、パチンコ遊技機１が特賞状態にあるか否かを判断し（ステップＣ５）、「ＮＯ」と判断した場合、つまりパチンコ遊技機が通常の状態にあった場合には、内部タイマを利用して設定された遅延タイマをスタートさせるステップＣ６を実行した後に、他のパチンコ遊技機１のための図示しない処理を実行してステップＣ１へ戻る。
【００７０】
尚、上記遅延タイマのタイマ動作時間τは、パチンコ遊技機１の遊技が禁止された後において、盤面に打ち込まれているパチンコ玉（電気役物を動作させるための所謂保留玉も含む）により特賞状態が発生する可能性がある時点までの時間より若干だけ長い時間に設定される。
【００７１】
一方、前記ステップＣ５で「ＹＥＳ」と判断した場合、つまり、閉店時刻において打止状態とされたパチンコ遊技機１がその打止発生時点で特賞状態にあった場合には、操作ユニット１０内の図示しない発券処理回路に対して第１の発券処理指令ＳＡを出力するステップＣ７、前記図示しない他の処理を実行してステップＣ１へ戻る。尚、上記第１の発券処理指令ＳＡは、対応するパチンコ遊技機１の台番号データと、当該処理指令ＳＡを特定するための処理コードΔＡとを組み合わせたフォーマットとなっている。
【００７２】
前記ステップＣ２で「ＹＥＳ」と判断した場合、つまりパチンコ遊技機１が打止状態にあった場合（閉店時刻において打止状態にあった場合は勿論のこと、前記ステップＣ４の実行に伴い発生した打止状態（ステップＣ２が再実行された場合）も含む）には、特賞状態が終了したか否かを、呼出ランプユニット２からの特賞終了信号Ｆｅの新たな入力があったか否かに基づいて判断し（ステップＣ８）、「ＹＥＳ」と判断した場合には、前記遅延タイマのタイマ動作を開始させるステップＣ９、前記図示しない他の処理を実行してステップＣ１へ戻る。
【００７３】
従って、上記遅延タイマは、閉店時刻において通常の状態にあるパチンコ遊技機１の場合は、その閉店時刻からタイマ動作を開始し、閉店時刻において特賞状態にあるパチンコ遊技機１の場合は、その特賞状態が終了した時点からタイマ動作を開始するものである。
【００７４】
ステップＣ８で「ＮＯ」と判断した場合には、パチンコ遊技機１において特賞状態が発生したか否かを、呼出ランプユニット２からの特賞開始信号Ｆｓの新たなに入力があったか否かに基づいて判断し（ステップＣ１０）、ここで「ＮＯ」と判断した場合には、前記遅延タイマがタイムアップしたか否かを判断する（ステップＣ１１）。
【００７５】
この場合、遅延タイマがタイムアップしていない状態では、前記図示しない他の処理を実行してステップＣ１へ戻るが、タイムアップしたときには、記憶部７にタイマフラグをセットするステップＧ１２を実行した後に、図示しない他の処理を実行してステップＣ１へ戻る。
【００７６】
前記ステップＣ１０で「ＹＥＳ」と判断した場合、つまり閉店時刻以降にパチンコ遊技機１において新たな特賞が発生した場合には、前記タイマフラグの有無を判断する（ステップＣ１３）。タイマフラグがある場合には前記ステップＣ１１へ移行するが、タイマフラグがない場合、つまり遅延タイマのタイマ動作が終了していない場合には、操作ユニット１０内の図示しない発券処理回路に対して第２の発券処理指令ＳＢを出力するステップＣ１４、前記図示しない他の処理を実行してステップＣ１へ戻る。尚、上記第２の発券処理指令ＳＢも、対応するパチンコ遊技機１の台番号データと、当該処理指令ＳＢを特定するための処理コードΔＢとを組み合わせたフォーマットとなっている。
【００７７】
以上のような閉店後処理が行われる結果、集中管理装置３は、閉店時刻においてパチンコホール内の全部のパチンコ遊技機１を打止状態に切換え、その切換時点で特賞状態を呈していたパチンコ遊技機１があった場合には、そのパチンコ遊技機１の台番号データを含む第１の発券処理指令ＳＡを操作ユニット１０内の発券処理回路に送信するものである。また、閉店時刻後に新たな特賞状態が発生したパチンコ遊技機１があった場合には、遅延タイマのタイマ動作が行われていたとき（パチンコ遊技機１が閉店時刻において通常の状態にあったときには、閉店時刻から遅延時間τが経過するまでの期間、パチンコ遊技機１が閉店時刻において特賞状態にあったときには、その特賞状態が終了した時点から遅延時間τが経過するまでの期間）に限り、そのパチンコ遊技機１の台番号データを含む第２の発券処理指令ＳＢを操作ユニット１０内の発券処理回路に送信するものである。
【００７８】
尚、閉店時刻において特賞状態を呈していたパチンコ遊技機１において、その閉店時刻後に新たな特賞が発生した場合（つまり所謂ダブルが発生した場合）には、当該パチンコ遊技機１の台番号データを含む第１及び第２の発券処理指令ＳＡ及びＳＢが双方とも送信されることになる。
【００７９】
さて、上記操作ユニット１０が有する発券処理回路は、上述のように送信されてくる第１の発券処理指令ＳＡ（台番号データと処理コードΔＡとの組み合わせ）或いは第２の発券処理指令ＳＢ（台番号データと処理コードΔＢとの組み合わせ）を受信する毎に、それら指令ＳＡ及びＳＢを、内部に設けられた処理メモリに対し、図６に示すように例えば受信順に累積記憶するようになっている。
【００８０】
図７には、上記発券処理回路による制御内容が示されており、以下これについて説明する。
即ち、まず、前記処理メモリ（図６参照）の先頭アドレスのデータを読み込み（ステップＤ１）、その読み込みデータの種類（第１の発券処理指令ＳＡ及び第２の発券処理指令ＳＢの何れか）を判定する（ステップＤ２）。
【００８１】
読み出したデータが第１の発券処理指令ＳＡであった場合、つまり読み出しデータが、閉店時刻において特賞状態を呈していたパチンコ遊技機１に対応したデータであった場合には、当該処理指令ＳＡ中の台番号データに対応したパチンコ遊技機１でのセーフ玉の払い出し動作が終了しているか否かを判断し（ステップＤ３）、払い出し動作が終了していない場合には、上記第１の発券処理指令ＳＡを処理メモリにおける最後尾アドレスへセットし直すステップＤ４を実行した後に、ステップＤ１へ戻る。
【００８２】
これに対して、読み出した第１の発券処理指令ＳＡ中の台番号データに対応したパチンコ遊技機１でのセーフ玉の払い出し動作が終了していた場合（ステップＤ３で「ＹＥＳ」）には、演算処理ルーチンＤ５を実行する。
【００８３】
具体的には、上記演算処理ルーチンＤ５では、閉店時刻で特賞状態のまま打止状態とされたパチンコ遊技機１での遊技をそのまま継続した場合に放出されると見込まれるパチンコ玉数（以下、この見込みパチンコ玉数を不足パチンコ玉数ΔＸと呼ぶ）を、そのパチンコ遊技機１が特賞状態にある期間での標準的な放出パチンコ玉数（若しくはこれに近似した最大放出パチンコ玉数）を示す規定数データΔＺから、当該パチンコ遊技機１が特賞状態にある期間での差玉数データΔＮ（これは、前述したように、集中管理装置３における該当パチンコ遊技機１用のメモリエリア中に収支データとしてセットされている）を差し引くという演算により算出するようになっている。尚、上記規定数データΔＺは、パチンコ遊技機１の機種毎にほぼ一定の値を示すという性質のものである。
【００８４】
演算処理ルーチンＤ５の実行後には、不足パチンコ玉数ΔＸが「１」以上あるか否かを判断し（ステップＤ６）、ΔＸ≦０の状態時にはステップＤ１へ戻るが、ΔＸ＞１の状態時には、前記読み出しデータにより特定されるパチンコ遊技機１に対応した呼出ランプユニット２に対して、前記発券メッセージ信号Ｓｍを送信する（ステップＤ７）。尚、前述したように、発券メッセージ信号Ｓｍを受信した呼出ランプユニット２にあっては、後述する引換券ＫＴが前記操作ユニット１０を通じて発行される旨を遊技客に知らせるための発券ランプ１５を点灯させるようになる。
【００８５】
次いで、前記処理メモリ中に、現在処理対象となっている第１の発券処理指令ΔＡ中の台番号データと同じ台番号データを有した第２の発券処理指令ΔＢが存在するか否かを判断する（ステップＤ８）。ここで「ＮＯ」と判断した場合には、プリンタ１０ｂを通じて引換券ＫＴを発行する第１発券処理ルーチンＤ９を実行した後にステップＤ１へ戻る。
【００８６】
ここで、第１発券処理ルーチンＤ９で発行される引換券ＫＴは、図８（ａ）のようなフォーマットとなっている。即ち、図８（ａ）において、引換券ＫＴには、パチンコホール名ａ１、発行年月日ａ２、「景品引換券」の名称ａ３、台番号ａ４、前記演算処理ルーチンＤ５で算出した不足パチンコ玉数ΔＮを示す数値データａ５、上記数値データなどを記録したバーコードａ６が印字される。尚、第１発券処理ルーチンＤ９では、発行した引換券ＫＴに対応した第１の発券処理指令ΔＡを処理メモリ中から削除するようになっている。
【００８７】
一方、ステップＤ８で「ＹＥＳ」と判断した場合（現在処理対象となっているパチンコ遊技機１が、閉店時刻において発生していた特賞状態の終了後に再度新たな特賞が発生したものであった場合に相当）には、処理メモリ中から該当する第２の発券処理指令ΔＢを読み込み（ステップＤ１０）、この後にプリンタ１０ｂを通じて引換券ＫＴを発行する第２発券処理ルーチンＤ１１を実行してステップＤ１へ戻る。
【００８８】
ここで、第２発券処理ルーチンＤ１１で発行される引換券ＫＴは、図８（ｂ）のようなフォーマットとなっている。即ち、図８（ｂ）において、引換券ＫＴには、パチンコホール名ｂ１、発行年月日ｂ２、「景品引換券」の名称ｂ３、台番号ｂ４、前記演算処理ルーチンＤ５で算出した不足パチンコ玉数ΔＮを示す数値データｂ５、前記規定数データΔＺ（パチンコ遊技機１が特賞状態にある期間での標準的な放出パチンコ玉数若しくはこれに近似した最大放出パチンコ玉数）を示す数値データｂ６（図の例では「３０００」）、上記数値データなどを記録したバーコードｂ７が印字される。尚、第２発券処理ルーチンＤ１１では、発行した引換券ＫＴに対応した第１の発券処理指令ΔＡ及び第２の発券処理指令ΔＢを処理メモリ中から削除するようになっている。
【００８９】
前記ステップＤ２において、処理メモリから読み出した先頭アドレスのデータが第２の発券処理指令ＳＢであった場合、つまり読み出しデータが、閉店時刻後に新たに特賞状態が発生したパチンコ遊技機１に対応したデータであった場合には、前記処理メモリ中に、現在処理対象となっている第２の発券処理指令ΔＢ中の台番号データと同じ台番号データを有した第１の発券処理指令ΔＡが存在するか否かを判断する（ステップＤ１２）。ここで「ＹＥＳ」と判断した場合には、上記第２の発券処理指令ＳＢを処理メモリにおける最後尾アドレスへセットし直すステップＤ１３を実行した後に、ステップＤ１へ戻る。
【００９０】
従って、現在処理対象となっているパチンコ遊技機１が、閉店時刻において発生していた特賞状態の終了後に再度新たな特賞が発生したものであった場合において、そのパチンコ遊技機１に関する第１の発券処理指令ΔＡ及び第２の発券処理指令ΔＢが、処理メモリに対し逆の順に記憶されていたときには、その記憶順が変更され、この後に前述したステップＤ１〜Ｄ８、Ｄ１０、Ｄ１１が実行されて、図８（ｂ）のようなフォーマットの引換券ＫＴが発行されることになる。
【００９１】
ステップＤ１２で「ＮＯ」と判断した場合、つまり、処理対象のパチンコ遊技機１が、閉店時刻では通常の状態にあり且つその後に特賞状態が発生したものであった場合には、該当するパチンコ遊技機１に対応した呼出ランプユニット２に対して、発券メッセージ信号Ｓｍを送信するステップＤ１４を実行した後に、第３発券処理ルーチンＤ１５を実行してステップＤ１へ戻る。
【００９２】
ここで、第３発券処理ルーチンＤ１５で発行される引換券ＫＴは、図８（ａ）のようなフォーマットのものであるが、数値データｂ５部分には、前記規定数データΔＺ（パチンコ遊技機１が特賞状態にある期間での標準的な放出パチンコ玉数若しくはこれに近似したパチンコ玉数）が印字されるものである。尚、第３発券処理ルーチンＤ１５では、発行した引換券ＫＴに対応した第２の発券処理指令ΔＢを処理メモリ中から削除するようになっている。
【００９３】
要するに、操作ユニット１０が有する発券処理回路は、以下に述べるような動作を行うものである。
集中管理装置３の主制御部４による閉店時処理により得られる第１の発券処理指令ＳＡ及び第２の発券処理指令ＳＢを処理メモリに記憶し、斯様に記憶した処理指令ＳＡ及びＳＢに基づいた引換券ＫＴの発行動作を順次実行する。この場合、閉店時刻において特賞状態にあったパチンコ遊技機１の遊技客に引換券ＫＴを発行する動作（第１の発券処理指令ＳＡのみによる発券処理動作）は、対応するパチンコ遊技機１でのパチンコ玉の払い出しが全部済んだ後に行うものである。この発券処理動作時には、上記パチンコ遊技機１において閉店時刻も特賞状態での遊技をそのまま継続した場合に放出されると見込まれる不足パチンコ玉数ΔＸを算出し、その不足パチンコ玉数ΔＸを示す数値データを記録した引換券ＫＴを発行する。
【００９４】
また、閉店時刻において特賞状態を呈しており、尚且つ閉店時刻後に新たな特賞が発生したパチンコ遊技機１の遊技客に引換券ＫＴを発行する動作（第１の発券処理指令ＳＡ及び第２の発券処理指令ＳＢの双方による発券処理動作）も、対応するパチンコ遊技機１でのパチンコ玉の払い出しが全部済んだ後に行うものであるが、この場合には、前述のような不足パチンコ玉数ＫＴを示す数値データと、規定数データΔＺ（パチンコ遊技機１が特賞状態にある期間での標準的な放出パチンコ玉数若しくはこれに近似した最大放出パチンコ玉数）を示す数値データとを記録した引換券ＫＴを発行する。
【００９５】
さらに、閉店時刻では通常の状態にあり且つその後に特賞状態が発生したパチンコ遊技機１の遊技客に引換券ＫＴを発行する動作時（第２の発券処理指令ＳＢによる発券処理動作時）には、前記規定数データΔＺを示す数値データを記録した引換券ＫＴを発行する。
【００９６】
以上要するに、上記した構成の本実施例によれば、次に述べるような作用効果を奏することができる。尚、図１２には、以下の説明の参考となるように、パチンコ遊技機１での特賞状態並びに打止状態の各発生状況、パチンコ遊技機１でのセーフ玉（払い出しパチンコ玉）の発生状況、遅延タイマの動作状況（動作時間はτ）、発券処理つまり引換券ＫＴの発行状況の一例が、例えば３つのケース毎に個別に示されている。
【００９７】
パチンコホールの閉店時刻（図１２中のタイミングｔ１）に達したときには、集中管理装置３の主制御部４が、パチンコホール内の全部のパチンコ遊技機１を打止状態に切換えるようになる。
【００９８】
このように打止状態に切換えられたタイミングｔ１で、例えば図１２（ａ）のように、特賞状態を呈しているパチンコ遊技機１が存在する場合には、セーフ玉の払い出し動作が終了するのを待って、記録された数値データを景品交換に利用できる引換券ＫＴの発券処理が操作ユニット１０において行われる。この場合に発行される引換券ＫＴには、上記パチンコ遊技機１において特賞状態での遊技を閉店時刻後も継続した場合に放出されると見込まれる不足パチンコ玉数ΔＸを示す数値データが記録される。尚、この場合において、遅延タイマのタイマ動作は、特賞状態の終了後に開始される。
【００９９】
また、打止状態に切換えられたタイミングｔ１で、パチンコ遊技機１が例えば図１２（ｂ）のように通常の状態（非特賞状態）にあった場合には、そのタイミングｔ１から遅延タイマのタイマ動作が開始されるものであり、そのタイマ動作期間中に当該パチンコ遊技機１において特賞状態が発生したときには、直ちに引換券ＫＴの発券処理が行われる。この場合に発行される引換券ＫＴには、上記パチンコ遊技機１が特賞状態にある期間での標準的な放出パチンコ玉数（若しくはこれに近似した最大放出パチンコ玉数）を示す規定数データΔＺを示す数値データが記録される。但し、遅延タイマのタイマ動作期間を過ぎて特賞が発生した場合には、その特賞状態は無視され、引換券ＫＴの発券処理は行われない。
【０１００】
例えば図１２（ｃ）のように、打止状態に切換えられたタイミングｔ１で、特賞状態を呈していたパチンコ遊技機１において、タイミングｔ１以降に新たな特賞が発生した場合、その新たな特賞状態が、遅延タイマのタイマ動作期間中に発生したものであるときには、パチンコ遊技機１でのパチンコ玉の払い出しが全部済んだ後に、前記不足パチンコ玉数Δ及び規定数データＤＺを示す各数値データを双方とも記録した引換券ＫＴの発券動作が行われる。尚、この場合において、遅延タイマのタイマ動作は、タイミングｔ１で継続されている特賞状態の終了後に開始されるものである。
【０１０１】
つまり、パチンコホールの閉店時刻に達したときには、全部のパチンコ遊技機１が打止状態に切換えられることになるが、その閉店時刻において特賞状態を呈しているパチンコ遊技機１の遊技客に対しては、そのまま遊技を継続したときに得られると想定される不足パチンコ玉数ΔＸを記録した引換券ＫＴが、操作ユニット１０を通じて発行されることになる。これにより、閉店時刻においてパチンコホール内の全部のパチンコ遊技機１を打止状態に切換えたとしても、特賞状態となったパチンコ遊技機１での遊技客には、その打止状態への切換に伴い相当の対価が支払われることになる。
【０１０２】
従って、閉店時刻になった時点で、特賞状態にあるパチンコ遊技機１を含む全てのパチンコ遊技機１での遊技を直ちに禁止した場合でも遊技客側の不満が増大する虞がなくなり、しかも、上記のような引換券ＫＴ発行のためにパチンコホール側で必要となる作業は、操作ユニット１０から発行された遊技券ＫＴをパチンコ遊技機１の遊技客に手渡すと共に、ハンディ端末２２から発券確認信号Ｓｃを送信するという操作を行うだけ済んで、その操作自体は大幅な単純化が可能であるから、店内清掃作業などを含む閉店時作業を速やかに開始することが可能となって、その作業を早期に終了させ得るようになる。
【０１０３】
その上、この場合には、閉店時刻において特賞状態にあるパチンコ遊技機１の遊技を禁止したときに従来必要であったパチンコホール従業員による作業、つまり所定数のパチンコ玉を強制的に放出するという比較的時間がかかる作業が不要となるから、その従業員の負担軽減を図り得ると共に、当該従業員が前記閉店時作業に早期に参加できるようになって、この面からもその作業の早期終了を図り得るようになる。
【０１０４】
また、上記の場合に引換券ＫＴに記録される不足パチンコ玉数ΔＸは、該当パチンコ遊技機１が特賞状態にある期間での標準的な放出パチンコ玉数（若しくはこれに近似した最大放出パチンコ玉数）を示す規定数データΔＺから、当該パチンコ遊技機１が特賞状態にある期間での差玉数データΔＮ（特賞発生時点から打止状態とされるまでの間に放出されたパチンコ玉数を示す）を差し引くという演算により算出する構成であるから、上記パチンコ遊技機１での遊技客に対して、打止状態の発生に伴い支払われる対価の額が、遊技客側にとってもパチンコホール側にとっても妥当な額となる。この結果、遊技客側から不満が出る虞が少なくなると共に、パチンコホール側の損失が不用意に大きくなる虞がなくなる。
【０１０５】
しかも、上述した規定数データΔＺ及び差玉数データΔＮに基づいた不足パチンコ玉数ΔＸの演算動作は、演算対象のパチンコ遊技機１におけるセーフ玉の払い出し動作が全て終了した時点で行われることになるから、上記差玉数データΔＮひいては引換券ＫＴに記録される不足パチンコ玉数ΔＸの正確化を図り得るようになる。
【０１０６】
さらに、閉店時刻において、打止状態に切換えられた後に特賞状態となったパチンコ遊技機１については、当該パチンコ遊技機１の遊技客に対して、前記規定数データΔＺを記録した引換券ＫＴが発行されるようになる。つまり、上記遊技客には、特賞状態のパチンコ遊技機１での遊技を行った場合に得られると想定されるパチンコ玉数を記録した引換券ＫＴが発行されることになるから、このような場合にも、閉店時刻になった時点で、パチンコ遊技機１での遊技を直ちに禁止したとしても遊技客側の不満が増大する虞がなくなる。
【０１０７】
この場合、閉店時刻に通常状態にあったパチンコ遊技機１については、その後の特賞発生タイミングが、閉店時刻から所定の遅延時間τが経過した時点以降であったときには、上記のような規定数データΔＺを記録した引換券ＫＴの発行が禁止され、閉店時刻に通常状態にあったパチンコ遊技機１については、その後の新たな特賞発生タイミングが、前回の特賞終了時点から所定の遅延時間τが経過した時点以降であったときには、同じく上記のような規定数データΔＺを記録した引換券ＫＴの発行が禁止される。従って、上記遅延時間τを、パチンコ遊技機１が打止状態に切換えられた後に特賞状態が発生するまでの時間、及び前回の特賞が終了した後に新たな特賞状態が発生するまでの時間より若干時間だけ長く設定しておけば、打止状態とされたパチンコ遊技機１が不正な行為により特賞状態に切換えられる事態を未然に防止できるようになる。
【０１０８】
また、操作ユニット１０を通じて引換券ＫＴの発行が行われた場合には、その旨が、パチンコ遊技機１側に設けられた発券ランプ１５を通じて遊技客に報知されるようになる。この結果、引換券ＫＴの発行に伴いパチンコ遊技機１での遊技が禁止されたとしても、そのことに対して遊技客が不審の念を抱く事態を未然に防止できると共に、遊技客が引換券ＫＴを受領することなく退去する事態を未然に防止できるなど、遊技客に対するサービス性を向上させ得るようになる。
【０１０９】
図１３〜図１７には本発明の第２実施例が示されており、以下これについて前記第１実施例と異なる部分のみ説明する。
図１３〜図１５には、本実施例において、前記集中管理装置３が有する主制御部４が実行する制御内容の概略が示されている。
【０１１０】
図１３は、パチンコホールの開店時刻から、当該閉店時刻の所定時間前に設定された待機時刻までの期間に行う制御内容の一部が示されている。この図１３に示した制御内容は、前記第１実施例において図３に示した制御内容と同一のものであるから、その説明を省略する。但し、データ入力処理はルーチンＡ９は、本実施例の場合は特に必要ではないから削除しても良いものである。
【０１１１】
図１４には、上記待機時刻から閉店時刻までの閉店処理待機期間中に行う制御内容が示されており、以下これについて説明する。
図１４において、データ入力ステップＦ１では、第１番目のパチンコ遊技機１用に関する打止中フラグの有無を示すデータ、当該パチンコ遊技機１に対応した呼出ランプユニット２から送信されてくるデータを入力して記憶部７に設定されたメモリエリアに記憶する。
【０１１２】
データ入力ステップＦ１の実行後には、呼出ランプユニット２からの特賞開始信号Ｆｓの有無に基づいて、対応するパチンコ遊技機１で特賞が発生したか否かを判断し（ステップＦ２）、ここで「ＮＯ」と判断した場合には、上記パチンコ遊技機１に対して、手動操作による打止指令が与えられたか否かを判断する（ステップＦ３）。このステップＦ３で「ＮＯ」と判断した場合には、手動動作によるパチンコ遊技機１の台開放入力があったか否かを判断し（ステップＦ４）、ここで「ＮＯ」と判断した場合には、他のパチンコ遊技機１のための図示しない処理を実行してステップＦ１へ戻る。
【０１１３】
ステップＦ２で「ＹＥＳ」と判断した場合、つまり閉店処理待機期間中にパチンコ遊技機１において特賞が発生した場合には、そのパチンコ遊技機１が打止中か否かを前記ステップＦ１での入力データ（打止中フラグの有無を示すデータ）若しくは後述する遊技禁止フラグＱＡ、ＱＢに基づいて判断し（ステップＦ５）、ここで「ＹＥＳ」と判断した場合には、前記図示しない他の処理を実行してステップＦ１へ戻る。
【０１１４】
これに対して、上記ステップＦ５で「ＮＯ」と判断した場合には、前記メモリエリアに対し遊技禁止フラグＱＡ（打止状態の解除が不可能であることを示すフラグ）をセットするステップＦ６、パチンコ遊技機１に対応した呼出ランプユニット２に対して打止指令信号を送信するステップＦ７、当該呼出ランプユニット２に対して発券メッセージ信号Ｓｍを送信するステップＦ８、操作ユニット１０内の図示しない発券処理回路に対して発券処理指令ＳＣを出力するステップＦ９を順次実行した後に前記図示しない他の処理を実行してステップＦ１へ戻る。尚、上記発券処理指令ＳＣは、対応するパチンコ遊技機１の台番号データと、当該処理指令ＳＣを特定するための識別コードとを組み合わせたフォーマットとなっている。
【０１１５】
前記ステップＦ３で「ＹＥＳ」と判断した場合、つまり閉店処理待機期間中にパチンコ遊技機１に対し手動操作による打止指令が与えられた場合には、対応するメモリエリアに遊技禁止フラグＱＢ（打止状態の解除が可能であることを示すフラグ）をセットするステップＦ１０、上記パチンコ遊技機１に対応した呼出ランプユニット２に対して打止指令信号を送信するステップＦ１１を順次実行した後に前記図示しない他の処理を実行してステップＦ１へ戻る。
【０１１６】
前記ステップＦ４で「ＹＥＳ」と判断した場合、つまり閉店処理待機期間中にパチンコ遊技機１に対し手動操作による台開放指令が与えられた場合には、対応するメモリエリアに前記遊技禁止フラグＱＡが記憶されているか否かを判断する（ステップＦ１２）。遊技禁止フラグＱＡが記憶されていた場合、つまりパチンコ遊技機１の打止状態を解除できない場合（その打止状態が前記発券処理指令ＳＣの出力を伴うものであった場合）には、そのまま図示しない他の処理を実行してステップＦ１へ戻るが、遊技禁止フラグＱＡが記憶されていなかった場合には、対応するメモリエリアに記憶されている打止中フラグ及び遊技禁止フラグＱＢをリセットするステップＦ１３、呼出ランプユニット２に開放指令信号を送信してパチンコ遊技機１を遊技可能状態に切換えるステップＦ１４を順次実行した後に、図示しない他の処理を実行してステップＦ１へ戻る。
【０１１７】
上記のような制御が行われる結果、閉店処理待機期間中において打止状態となったパチンコ遊技機１が発生したときには、そのパチンコ遊技機１に対応した呼出ランプユニット２に打止指令信号及び発券メッセージ信号Ｓｍが送信されて、上記パチンコ遊技機１が直ちに打止状態に切換えられると共に、呼出ランプユニット２の発券ランプ１５が点灯されるものであり、同時に操作ユニット１０の発券処理回路に対して発券処理指令ＳＣが出力されるものである。また、このように特賞発生に応じて打止状態とされたパチンコ遊技機１は、その後に台開放指令が入力されたときにおいても、打止状態のまま保持されるものである。
【０１１８】
図１５には、上記のような閉店処理待機期間が終了した後、つまりパチンコホールの閉店時刻以降に行う制御内容の一部が示されている。この図１５において、閉店時刻に達したときに実行されるデータ入力ステップＧ１では、第１番目のパチンコ遊技機１用のメモリエリア中から前記特賞中フラグの有無を示すデータ並びに打止中フラグの有無を示すデータを入力する。次いで、その入力データに基づいて対応するパチンコ遊技機１が打止状態にあるか否かを判断し（ステップＧ２）、打止状態になかった場合には、上記入力データに基づいて、対応するパチンコ遊技機１が特賞状態にあるか否かを判断する（ステップＧ３）。
【０１１９】
このステップＧ３で「ＮＯ」と判断した場合、つまり、閉店時刻において遊技可能な状態にあるパチンコ遊技機１が特賞状態になかった場合には、対応するメモリエリアに打止中フラグをセットするステップＧ４、上記パチンコ遊技機１に対応した呼出ランプユニット２に対し打止指令信号を送信するステップＧ５、前記第１実施例と同様の遅延タイマをスタートさせるステップＧ６を順次実行した後に、他のパチンコ遊技機１のための図示しない処理を実行してステップＧ１へ戻る。
【０１２０】
この場合、上記打止指令信号を受信した呼出ランプユニット２は、対応するパチンコ遊技機１を打止状態に切換えるようになるから、上記のようなステップＧ１〜Ｇ６が全部のパチンコ遊技機１に行われる結果、閉店時刻に達したときには、打止状態に切換えられていないまま特賞状態にあるパチンコ遊技機を除いた他のパチンコ遊技機１が打止状態に切換えられることになる。
【０１２１】
前記ステップＧ３で「ＹＥＳ」と判断した場合、つまり、パチンコ遊技機１において前記閉店処理待機期間より以前に発生した特賞状態が閉店時刻においても継続されていた場合には、閉店時特賞フラグの有無を判断し（ステップＧ７）、当該フラグがない場合には、対応するメモリエリアに上記閉店時特賞フラグをセットするステップＧ８を実行した後に、前記図示しない処理を実行してステップＧ１へ戻り、閉店時特賞フラグが既にセットされていた場合には、上記ステップＧ８をジャンプする。
【０１２２】
前記ステップＧ２で「ＹＥＳ」と判断した場合、つまりパチンコ遊技機１が打止状態にあった場合（閉店時刻において打止状態にあった場合は勿論のこと、前記ステップＧ５の実行に伴い発生した打止態（ステップＧ２が再実行された場合）も含む）には、パチンコ遊技機１において特賞状態が発生したか否かを、呼出ランプユニット２からの特賞開始信号Ｆｓの新たなに入力があったか否かに基づいて判断し（ステップＧ９）、ここで「ＮＯ」と判断した場合には、前記遅延タイマがタイムアップしたか否かを判断する（ステップＧ１０）。
【０１２３】
この場合、遅延タイマがタイムアップしていない状態では、前記図示しない他の処理を実行してステップＧ１へ戻るが、タイムアップしたときには、対応するメモリエリアにタイマフラグをセットするステップＧ１１を実行した後に、図示しない他の処理を実行してステップＧ１へ戻る。
【０１２４】
前記ステップＧ９で「ＹＥＳ」と判断した場合、つまり閉店時刻以降にパチンコ遊技機１において新たな特賞が発生した場合には、前記タイマフラグの有無を判断する（ステップＧ１２）。タイマフラグがある場合には前記ステップＧ１０以降の制御を実行するが、タイマフラグがない場合、つまり前記遅延タイマのタイマ動作が終了していない場合には、前記閉店時特賞フラグの有無を判断する（ステップＧ１３）。
【０１２５】
閉店時特賞フラグがある場合、つまり、パチンコ遊技機１が閉店処理待機期間より以前に発生した特賞状態が閉店時刻においても継続されていたものであった場合には、ステップＧ１０以降の制御を実行するが、閉店時特賞フラグがない場合には、パチンコ遊技機１に対応した呼出ランプユニット２に対して発券メッセージ信号Ｓｍを送信するステップＧ１４、操作ユニット１０内の図示しない発券処理回路に対して発券処理指令ＳＣを出力するステップＧ１５を順次実行した後に、前記図示しない他の処理を実行してステップＧ１へ戻る。
【０１２６】
以上のような閉店後処理が行われる結果、集中管理装置３は、閉店時刻において、打止状態に切換えられていないパチンコ遊技機１のうち、前記閉店処理待機期間より以前から特賞状態が継続しているもの以外のパチンコ遊技機１を打止状態に切換える。また、上記のように閉店時刻において打止状態に切換えられなかったパチンコ遊技機１については、その後に特賞状態が終了した時点で打止状態に切換える。そして、閉店時刻後において遅延タイマのタイマ動作が行われている期間内に、新たな特賞状態が発生したパチンコ遊技機１があった場合には、そのパチンコ遊技機１が閉店処理待機期間より以前から特賞状態が継続しているものでない場合のみ、パチンコ遊技機１の台番号データを含む発券処理指令ＳＣを操作ユニット１０内の発券処理回路に送信するものである。
【０１２７】
尚、上記発券処理回路は、上述のように送信されてくる発券処理指令ＳＣを受信する毎に、その発券指令ＳＣに含まれる台番号データを、内部に設けられた処理メモリに対し、図１６に示すように例えば受信順に累積記憶するようになっている。
【０１２８】
図１７には、上記発券処理回路による制御内容が示されており、以下これについて説明する。
即ち、発券処理回路では、前記処理メモリ（図１６参照）の先頭アドレスの台番号データを読み込むステップＨ１、プリンタ１０ｂを通じて上記台番号を記録した引換券ＫＴを発行すると共に、処理メモリ中から上記台番号データを削除する第２発券処理ルーチンＤ１１をサイクリックに実行する。この場合に発行される引換券Ｔは、前記図８（ａ）と同様のフォーマットのものであり、パチンコホール名ｂ１、発行年月日ｂ２、「引換券」の名称ｂ３、台番号ｂ４、規定数データΔＺを示す数値データｂ５、上記数値データなどを記録したバーコードｂ６が印字される。
【０１２９】
これにより、発券処理回路にあっては、前述した閉店処理待機期間中に特賞状態が発生したパチンコ遊技機１の遊技客、並びに閉店時刻後に新たな特賞が発生したパチンコ遊技機１の遊技客の全員に対して、規定数データΔＺ（そのパチンコ遊技機１が特賞状態にある期間での標準的な放出パチンコ玉数若しくはこれに近似した最大放出パチンコ玉数を示す数値データ）を記録した引換券ＫＴを発行するものである。
【０１３０】
以上要するに、上記した構成の本実施例によれば、次に述べるような作用効果を奏することができる。尚、図１８には、以下の説明の参考となるように、パチンコ遊技機１での特賞状態並びに打止状態の各発生状況、遅延タイマの動作状況（動作時間はτ）、発券処理つまり引換券ＫＴの発行状況の一例が、例えば４つのケース毎に個別に示されている。
【０１３１】
待機時刻（図１８中のタイミングｔ０）とパチンコホール開店時刻（タイミングｔ１）との間は、閉店処理待機期間として設定された期間である。例えば、図１８（ａ）のように、上記閉店処理待機期間中において特賞状態となったパチンコ遊技機１が生じたときには、直ちに、当該パチンコ遊技機１を打止状態に切換えると共に、引換券ＫＴの発券処理が行われる。この場合に発行される引換券ＫＴには、上記パチンコ遊技機１が特賞状態にある期間での標準的な放出パチンコ玉数（若しくはこれに近似した最大放出パチンコ玉数）を示す規定数データΔＺを示す数値データが記録される。
【０１３２】
また、図１８（ｂ）に示すように、閉店処理待機期間中において特賞状態を呈することなく閉店時刻に至ったパチンコ遊技機１については、その閉店時刻において直ちに打止状態に切換えられる。尚、この場合には、閉店時刻から遅延タイマが時間τのタイマ動作を開始するようになる。
【０１３３】
図１８（ｃ）に示すように、閉店処理待機期間中において特賞状態を呈することなく閉店時刻に至ったパチンコ遊技機１において、前述のような遅延タイマのタイマ動作期間中に当該パチンコ遊技機１において特賞状態が発生したときには、直ちに前述同様の引換券ＫＴの発券処理が行われる。但し、遅延タイマのタイマ動作期間を過ぎて特賞が発生した場合には、その特賞状態は無視され、引換券ＫＴの発券処理は行われない。
【０１３４】
例えば図１８（ｄ）のように、閉店処理待機期間より以前に特賞状態が発生したパチンコ遊技機１において、閉店時刻においても特賞状態が継続されていた場合には、その特賞が終了するのを待って、上記パチンコ遊技機１が打止状態に切換えられることになる。
【０１３５】
つまり、閉店時刻の所定時間前から当該閉店時刻に達するまでの閉店処理待機期間中に前記特賞状態となったパチンコ遊技機１が発生した場合には、その特賞状態の発生時点で当該パチンコ遊技機１が打止状態に切換えられると共に、そのパチンコ遊技機１での遊技客に対して、規定数データΔＺを記録した引換券ＫＴが発行されることになる。
【０１３６】
従って、上記のような閉店処理待機期間中に特賞状態となったパチンコ遊技機１については、当該パチンコ遊技機１の遊技客に対し相当の対価（パチンコ遊技機１が特賞状態にある期間で放出されると想定される標準的な数のパチンコ玉若しくはこれに近似した数のパチンコ玉）が支払われることになるから、閉店時刻間際において、上記のように特賞状態となったパチンコ遊技機１での遊技を直ちに禁止した場合でも遊技客側の不満が増大する虞がなくなる。
【０１３７】
また、閉店時刻に達した時点で、特賞状態にないパチンコ遊技機１については、その時点で打止状態に切換えられると共に、閉店時刻に達した時点で特賞状態での遊技が継続されているパチンコ遊技機１については、その特賞状態の終了時に打止状態に切換えられるものであるが、この場合、前記閉店処理待機期間より前の時点で特賞状態となったパチンコ遊技機１での遊技は、その閉店処理待機期間中、若しくは閉店時刻後の比較的早い時期に特賞状態が終了することになるから、閉店時刻において特賞状態が継続されているパチンコ遊技機１が存在した場合でも、その特賞状態が比較的早い時期に終了することになり、結果的に、店内清掃作業などを含む閉店時作業を速やかに開始することが可能となって、その作業を早期に終了させ得るようになる。
【０１３８】
勿論、この場合にも、従来のように、閉店時刻において特賞状態にあるパチンコ遊技機１の遊技を禁止したときに必要であったパチンコホール従業員による作業、つまり所定数のパチンコ玉を強制的に放出するという比較的時間がかかる作業が不要となるから、その従業員の負担軽減を図り得ると共に、当該従業員が前記閉店時作業に早期に参加できるようになって、この面からも上記作業の早期終了を図り得るようになる。
【０１３９】
さらに、引換券ＫＴに対しては、パチンコ遊技機１の機種毎に一定となる規定数データΔＺを記録するだけで良いから、前記第１実施例のように、特賞発生から打止状態に切換えられるまでの間の差玉数データΔＮを逐一演算する処理が不要となり、引換券ＫＴの発券処理のための演算処理を簡単化できるようになる。
【０１４０】
閉店時刻が経過した後に特賞状態となったパチンコ遊技機１が発生した場合には、当該パチンコ遊技機１の遊技客に対して、前記規定数データΔＺを記録した引換券ＫＴが発行されるようになる。この結果、上記遊技客には、特賞状態のパチンコ遊技機１での遊技を行った場合に得られると想定されるパチンコ玉数を記録した引換券ＫＴが発行されることになるから、このような場合にも、閉店時刻になった時点で、パチンコ遊技機１での遊技を直ちに禁止したとしても遊技客側の不満が増大する虞がなくなり、店内清掃作業などを含む閉店時作業を速やかに開始することが可能となって、その作業を早期に終了させ得るようになる。
【０１４１】
この場合、上記のような閉店時刻経過後に特賞状態が発生したタイミングが、閉店時刻から所定の遅延時間τが経過した時点以降であったときには、上記のような規定数データΔＺを記録した引換券ＫＴの発行が禁止されるから、打止状態とされたパチンコ遊技機１が不正な行為により特賞状態に切換えられる事態を未然に防止できるようになる。
【０１４２】
尚、本発明は上記した実施例に限定されるものではなく、次のような変形または拡張が可能である。
パチンコ遊技機１を管理対象としたが、スロットマシンなどを管理対象としても良い。記録担体としてレシート状の引換券ＫＴを発行する構成としたが、記録担体として磁気カードより成る引換券を発行したり、予め遊技客に発行されている磁気カード或いはＩＣカードなどより成る会員カードに遊技媒体数を記録して発行する構成としても良い。但し、磁気カードを利用する場合は、実際には、当該磁気カードのＩＤコードに対応付けた状態の遊技媒体数データを、集中管理装置３或いはこれとは別のホストコンピユータに記憶させることになる。
【図面の簡単な説明】
【図１】本発明の第１実施例の全体構成を示す機能ブロック図
【図２】表示部が有する表示パネルの一例を示す正面図
【図３】集中管理装置内の主制御部による制御内容を示すフローチャートその１
【図４】集中管理装置内の主制御部による制御内容を示すフローチャートその２
【図５】集中管理装置内の主制御部による制御内容を示すフローチャートその３
【図６】集中管理装置内の発券処理回路が有する処理メモリの記憶内容を示す図
【図７】集中管理装置内の発券処理回路による制御内容を示すフローチャート
【図８】引換券の正面図
【図９】呼出ランプユニットの斜視図
【図１０】呼出ランプユニットの電気的構成を示す機能ブロック図
【図１１】呼出ランプユニットの制御内容を示すフローチャート
【図１２】作用説明用のタイミングチャート
【図１３】本発明の第２実施例における集中管理装置内の主制御部による制御内容を示すフローチャートその１
【図１４】集中管理装置内の主制御部による制御内容を示すフローチャートその２
【図１５】集中管理装置内の主制御部による制御内容を示すフローチャートその３
【図１６】集中管理装置内の発券処理回路が有する処理メモリの記憶内容を示す図
【図１７】集中管理装置内の発券処理回路による制御内容を示すフローチャート
【図１８】作用説明用のタイミングチャート
【符号の説明】
図面中、１はパチンコ遊技機、２は呼出ランプユニット、３は集中管理装置、４は主制御部（遊技禁止手段、演算手段、タイマ手段）、７は記憶部、８は表示部、８ａは表示パネル、１０は操作ユニット（出力手段）、１５は発券ランプ（報知手段）を示す。
【図１】
0003776475.tif 000002
【図２】
0003776475.tif 000003
【図３】
0003776475.tif 000004
【図４】
0003776475.tif 000005
【図５】
0003776475.tif 000006
【図６】
0003776475.tif 000007
【図７】
0003776475.tif 000008
【図８】
0003776475.tif 000009
【図９】
0003776475.tif 000010
【図１０】
0003776475.tif 000011
【図１１】
0003776475.tif 000012
【図１２】
0003776475.tif 000013
【図１３】
0003776475.tif 000014
【図１４】
0003776475.tif 000015
【図１５】
0003776475.tif 000016
【図１６】
0003776475.tif 000017
【図１７】
0003776475.tif 000018
【図１８】
0003776475.tif 000019